(57)【要約】【課題】タッチパネルを利用した従来例に比べてハウジングの壁面からの突出量を抑える。【解決手段】ボス部２１における窓孔２１ａの下側には静電容量形近接スイッチからなる複数（図示例では４つ）の操作スイッチＳＷ４〜ＳＷ７が左右方向に一列に並べて配設されている。これらの操作スイッチＳＷ４〜ＳＷ７は同一の構造を有しており、センシング部２００と信号処理部２０１とで構成されている。すなわち、液晶ディスプレイ１０４ａの前面にタッチパネルを配設した従来例に比較してハウジングの前後方向の寸法を小型化することができ、その結果、タッチパネルを利用した従来例に比べてハウジングの壁面からの突出量を抑えることができる。【選択図】図１
2008085630.tif 000002
【特許請求の範囲】
【請求項１】
住戸内に設置され、住戸外に設置されたカメラ付きドアホン子器との間で音声信号を授受するとともにカメラ付きドアホン子器から映像信号を受け取るインターホン装置において、
カメラ付きドアホン子器との間で通話用の音声信号を授受して通話するための通話手段と、表示デバイスを有しカメラ付きドアホン子器から受け取った映像信号を信号処理して表示デバイスに表示させる映像表示手段と、複数の操作スイッチを具備し当該操作スイッチによる操作入力を受け付ける操作入力受付手段と、操作入力受付手段で受け付ける操作入力に応じて通話手段並びに映像表示手段を制御する制御手段と、各手段を収納し後端部を壁面に設けられた埋込孔に埋め込む形で配設されるハウジングとを備え、
複数の操作スイッチの全部又は一部は、静電容量形近接スイッチであって、ハウジング前面における表示デバイスの近傍に配置されることを特徴とするインターホン装置。
【請求項２】
ハウジングは、壁面における埋込孔の外側に張り出す外鍔部を有し、当該外鍔部内に静電容量形近接スイッチからなる操作スイッチが収納されることを特徴とする請求項１記載のインターホン装置。
【発明の詳細な説明】
【技術分野】
【０００１】
本発明は、住戸内に設置され、住戸外に設置されたカメラ付きドアホン子器との間で通話し且つカメラ付きドアホン子器で撮像された映像を表示することができるインターホン装置に関するものである。
【背景技術】
【０００２】
従来、住戸内に設置され、住戸外に設置されたカメラ付きドアホン子器との間で通話し且つカメラ付きドアホン子器で撮像された映像を表示することができるインターホン装置が種々提供されている（例えば、特許文献１参照）。また、後端部を壁面に設けられた埋込孔に埋め込む形で配設される埋込形のインターホン装置も提供されている（例えば、特許文献２参照）。
【０００３】
ここで、インターホン装置には様々な操作スイッチ、例えば、カメラ付きドアホン子器からの呼出に応答して通話を開始する際に操作される操作スイッチや、カメラ付きドアホン子器で撮像した映像を表示デバイスに表示させる際に操作される操作スイッチなどが設けられているが、多機能化による操作スイッチの増加を防ぐと同時にハウジングの壁面からの突出量を抑えるために表示デバイスの前面にタッチパネルが設けられる。すなわち、機械的な可動部を持たないタッチパネルを利用することでハウジングの壁面からの突出量を抑えることができるとともに、表示デバイスの画面に必要な数の操作釦を自由に表示させることができるから多機能化による操作スイッチの増加も防ぐことが可能である。
【特許文献１】特開２００６−１５７１８０号公報
【特許文献２】特開平６−７８０６３号公報
【発明の開示】
【発明が解決しようとする課題】
【０００４】
しかしながら、上述のようにタッチパネルを利用した従来例においても、タッチパネルの厚み分だけハウジングの壁面からの突出量が増えてしまうことになる。
【０００５】
本発明は上記事情に鑑みて為されたものであり、その目的は、タッチパネルを利用した従来例に比べてハウジングの壁面からの突出量を抑えることができるインターホン装置を提供することにある。
【課題を解決するための手段】
【０００６】
請求項１の発明は、上記目的を達成するために、住戸内に設置され、住戸外に設置されたカメラ付きドアホン子器との間で音声信号を授受するとともにカメラ付きドアホン子器から映像信号を受け取るインターホン装置において、カメラ付きドアホン子器との間で通話用の音声信号を授受して通話するための通話手段と、表示デバイスを有しカメラ付きドアホン子器から受け取った映像信号を信号処理して表示デバイスに表示させる映像表示手段と、複数の操作スイッチを具備し当該操作スイッチによる操作入力を受け付ける操作入力受付手段と、操作入力受付手段で受け付ける操作入力に応じて通話手段並びに映像表示手段を制御する制御手段と、各手段を収納し後端部を壁面に設けられた埋込孔に埋め込む形で配設されるハウジングとを備え、複数の操作スイッチの全部又は一部は、静電容量形近接スイッチであって、ハウジング前面における表示デバイスの近傍に配置されることを特徴とする。
【０００７】
請求項２の発明は、請求項１の発明において、ハウジングは、壁面における埋込孔の外側に張り出す外鍔部を有し、当該外鍔部内に静電容量形近接スイッチからなる操作スイッチが収納されることを特徴とする。
【発明の効果】
【０００８】
請求項１の発明によれば、複数の操作スイッチの全部又は一部を静電容量形近接スイッチで構成してハウジング前面における表示デバイスの近傍に配置しているので、タッチパネルを利用した従来例に比べてハウジングの壁面からの突出量を抑えることができる。
【０００９】
請求項２の発明によれば、壁面における埋込孔の外側に張り出すハウジングの外鍔部内に静電容量形近接スイッチからなる操作スイッチが収納されるので、ハウジング前面に露出する表示デバイスの画面を大型化することができる。
【発明を実施するための最良の形態】
【００１０】
以下、図面を参照して本発明の実施形態を詳細に説明する。
【００１１】
本実施形態のインターホン装置Ａは、図３に示すように住戸外（例えば、外玄関）に設置されたカメラ付きドアホン子器Ｂとの間で通話するためのインターホン親機である。カメラ付きドアホン子器Ｂは、マイクロホン並びにスピーカと、来訪者を撮像するカメラと、カメラから出力する映像信号を周波数変調する変調回路と、インターホン装置Ａを呼び出すための呼出信号を送信する呼出信号送信回路等を具備し、音声信号と変調された映像信号（以下、「ＦＭ映像信号」と呼ぶ。）を周波数多重化し、信号線Ｌｓを介してインターホン装置Ａに伝送する。ここで、カメラ付きドアホン子器Ｂの動作電源は、信号線Ｌｓを介してインターホン装置Ａから供給されるようになっており、カメラ付きドアホン子器Ｂの呼出信号送信回路は、信号線Ｌｓの線間電圧を変化させることで呼出信号を送信している。但し、このようなカメラ付きドアホン子器Ｂは従来周知であるから、詳細な構成についての図示並びに説明は省略する。
【００１２】
インターホン装置Ａは、マイクロホン１００並びにスピーカ１０１と、カメラ付きドアホン子器Ｂとの拡声通話のために音声信号を処理する音声信号処理部１０２と、２線−４線変換回路を含み、マイクロホン１００から出力されて音声信号処理部１０２で処理された音声信号を信号線Ｌｓを介してカメラ付きドアホン子器Ｂに伝送するとともに、信号線Ｌｓを介してカメラ付きドアホン子器Ｂから多重伝送される音声信号とＦＭ映像信号を分離する多重分離部１０３と、液晶ディスプレイのような表示デバイスを有するモニタ部１０４と、多重分離部１０３で分離されたＦＭ映像信号を復調するとともに復調した映像信号を信号処理してモニタ部１０４に表示させる映像信号処理部１０５と、信号線Ｌｓを介してカメラ付きドアホン子器Ｂから送信されてくる呼出信号を受信する呼出信号受信部１０６と、マイコンを主構成要素とし各部の動作を制御する制御部１０７と、後述するようにカメラ付きドアホン子器Ｂからの呼出に応答して通話を開始する際に操作される通話スイッチＳＷ１などの操作スイッチの操作入力を受け付ける操作入力受付部１０８と、ＥＥＰＲＯＭなどの書換可能な不揮発性メモリからなり制御部１０７のマイコンが実行するプログラムを格納するメモリ部１０９と、外部からメモリ部１０９に格納されているプログラムを書き換えるために通信ケーブル（図示せず）が接続される通信コネクタ１１０とを備えている。なお、インターホン装置Ａの各部の動作電源は、図示しない電源回路によって商用電源から作成される。
【００１３】
而して、来訪者がカメラ付きドアホン子器Ｂの呼出釦を押操作すると呼出信号送信回路が信号線Ｌｓを介してインターホン装置Ａへ呼出信号を送信する。インターホン装置Ａでは、呼出信号受信部１０６で呼出信号を受信すると制御部１０７が信号線Ｌｓを介してカメラ付きドアホン子器Ｂへ動作電源を供給するとともに音声信号処理部１０２を制御してスピーカ１０１から呼出音を鳴動させる。そして、カメラ付きドアホン子器Ｂではインターホン装置Ａから電源供給を受けてカメラが起動し、来訪者を撮像した映像信号（ＦＭ映像信号）を信号線Ｌｓを介してインターホン装置Ａに送信する。インターホン装置Ａでは、カメラ付きドアホン子器Ｂから送信されたＦＭ映像信号を映像信号処理部１０５で受信し復調してモニタ部１０４に表示させる。そして、呼出音を聞いた家人が通話スイッチＳＷ１を操作すると、その操作入力が操作入力受付部１０８で受け付けられ、操作入力受付部１０８から操作信号を受け取った制御部１０７が音声信号処理部１０２を起動してカメラ付きドアホン子器Ｂとの間で通話可能な状態とする。
【００１４】
次に、図１，図２を参照して本実施形態のインターホン装置Ａの構造について説明する。但し、以下の説明では図１を基準として図１の上下方向を前後方向、図１の右上と左下の方向を上下方向、図１の左上と右下の方向を左右方向と定義する。
【００１５】
合成樹脂成形品からなるボディ１とカバー２を結合することでハウジングが構成されている。ボディ１は、上下方向に対して左右方向の寸法が長く且つ前面が開口した略箱形の収納部１ａと、収納部１ａの前端部分から上下並びに左右方向へ突出するようにして略矩形枠状に形成されたフランジ部１ｂとを有している。カバー２は、フランジ部１ｂを含むボディ１の前面全体を覆う扁平な略矩形状に形成された主部２０と、主部２０の中央より僅かに前方へ突出するボス部２１と、主部２０の周縁より全周に渡って後方へ突出する周壁部２２とを有している。周壁部２２の上下両側の後端面には内向きに突出する複数の係止爪（図示せず）が等間隔に設けられ、また、主部２０後面の四隅には円筒形のねじ止め部（図示せず）が後方に向かって突設されている。すなわち、周壁部２２の内側にフランジ部１ｂを嵌合するようにしてボディ１の前面にカバー２を被着すれば、複数の係止爪がそれぞれフランジ部１ｂの後端面に係止してボディ１とカバー２を仮止めすることができ、さらに、フランジ部１ｂの四隅に貫通する４つのねじ挿通孔１ｃに後方から挿通した４本の組立ねじ５を４つのねじ止め部に各々螺合することでボディ１とカバー２を結合してハウジングを組み立てることができる（図２参照）。
【００１６】
ボディ１の収納部１ａには、第２の回路ブロック８、第３の回路ブロック９、第４の回路ブロック１０が前後方向に重なるようにして収納される。第２の回路ブロック８は、商用電源から内部の動作電源を作成するための電源回路を構成する回路部品や電源回路への給電を入切するための電源スイッチ８ｂをプリント配線板８ａに実装して構成されている。第３の回路ブロック９は、信号線Ｌｓを接続するための端子台９ｂや呼出信号受信部１０６等を構成する回路部品をプリント配線板９ａに実装して構成されている。第４の回路ブロック１０は、多重分離部１０３等を構成する回路部品をプリント配線板１０ａに実装して構成されている。そして、これら３つの回路ブロック８〜１０は、収納部１ａの内底壁から前方へ向けて複数が突設されている円筒形のねじ止め部１ｅに各々ねじ止めして固定される。また、最前列に位置する第２の回路ブロック８の前方には、可撓性を有する絶縁シート１１が配設される。なお、収納部１ａの底壁には、第３の回路ブロック９に実装されている端子台９ｂを挿通して外部に露出させるための挿通窓１ｆが開口している。
【００１７】
一方、カバー２の周壁部２２の内側には第１の回路ブロック７が収納固定される。第１の回路ブロック７は、音声信号処理部１０２、モニタ部１０４、映像信号処理部１０５、制御部１０７、操作入力受付部１０８、メモリ部１０９、通信コネクタ１１０などがプリント配線板７ａに実装されて構成されている。なお、図１における１０４ａは、モニタ部１０４が具備する液晶ディスプレイ（ＬＣＤパネル）である。また図示は省略するが、プリント配線板７ａの後面にはメモリカード２００が挿抜自在に収納接続されるメモリカードソケットが実装されている。また、カバー２の後面側に設けられているねじ止め部（図示せず）にプリント配線板７ａをねじ止めすることで第１の回路ブロック７が周壁部２２の内側に収納固定される。ここで、プリント配線板７ａに実装されている液晶ディスプレイ１０４ａの画面が、カバー２のボス部２１に設けられている矩形の窓孔２４を通して外部に臨ませてある。但し、ボス部２１の窓孔２４は、透光性を有した合成樹脂成形品からなる平板状の化粧パネル１２によってボス部２１の前面側から閉塞されており、かかる化粧パネル１２によって液晶ディスプレイ１０４ａの画面を保護している。なお、カバー２の周壁部２２においては、第１の回路ブロック７が具備するメモリカードソケットと対応する位置（右側面の下部）に、メモリカード２００をメモリカードソケットに挿入接続するための開口部２２ｃが設けられている。さらに、メモリカードソケットに対する異物の進入等を防ぐため、開口部２２ｃを開閉自在に塞ぐ蓋体１７が取り付けられている。
【００１８】
また、窓孔２４はボス部２１の左寄りに設けられており、ボス部２１前面の右側においては、多数の小孔が列設されている上部にスピーカ１０１が取り付けられ、その下部に通話スイッチＳＷ１、モニタスイッチＳＷ２，内線呼出スイッチＳＷ３を押操作するための操作ハンドル１３，１４Ａ，１４Ｂが取り付けられている。
【００１９】
モニタスイッチＳＷ２は、カメラ付きドアホン子器Ｂに電源を供給してカメラ部等を起動して映像信号を送信させるとともにカメラ付きドアホン子器Ｂから送信されてくる映像をモニタ部１０４に表示させる際に操作されるものであり、内線呼出スイッチＳＷ３は、住戸内に設置されてインターホン装置Ａに接続されるインターホン装置（いわゆる副親機）に呼出信号を送信して内線呼出を行う際に操作されるものであって、いずれも、通話スイッチＳＷ１と同様に第１の回路ブロック７のプリント配線板７ａに実装され、カバー２のボス部２１を貫通する貫通孔（図示せず）を通して各スイッチＳＷ１，ＳＷ２，ＳＷ３の押釦が前面側に露出している。操作ハンドル１３，１４Ａ，１４Ｂは、何れも上部を支点として前後方向に回動自在且つ反操作向きに復帰力が付与される形でカバー２に取り付けられる。したがって、操作ハンドル１３，１４Ａ，１４Ｂを押して後方へ回動させたときに操作ハンドル１３，１４Ａ，１４Ｂの後面側に設けられている操作突起（図示せず）で各スイッチＳＷ１，ＳＷ２，ＳＷ３の押釦を押操作することができる。
【００２０】
また、ボス部２１における窓孔２１ａの下側には静電容量形近接スイッチからなる複数（図示例では４つ）の操作スイッチＳＷ４〜ＳＷ７が左右方向に一列に並べて配設されている。これらの操作スイッチＳＷ４〜ＳＷ７は同一の構造を有しており、センシング部２００と信号処理部２０１とで構成されている。センシング部２００は、図４（ａ）に示すように内側電極２００ａと、内側電極２００ａの外周を全周に渡って囲む外側電極２００ｂとを略同一平面上に配置して構成されている。信号処理部２０１は、外側電極２００ｂに矩形波状のパルス電圧からなる駆動信号ｄｒｖを印加する駆動回路（図示せず）と、ベースが内側電極２００ａに接続されエミッタがグランドに接地されたバイポーラトランジスタＱとを具備している。すなわち、外側電極２００ｂに駆動信号ｄｒｖが印加されると、内側電極２００ａでは駆動信号ｄｒｖの立ち上がりと立ち下がりに対応した電流が検出される。センシング部２００の周囲に物体（例えば、人体）が存在しないときには、図４（ｃ）に示すように内側電極２００ａと外側電極２００ｂとの間にのみ電荷が分布している。一方、センシング部２００に対して人体のように大地間容量の大きくなる物体が接近すると、図４（ｄ）に示すように外側電極２００ｂと物体との間にコンデンサが形成されることになる。このコンデンサは大地へのバイパスコンデンサとして機能するから、内側電極２００ａと外側電極２００ｂとの間の静電容量は物体が存在していないときよりも減少することになり、駆動信号ｄｒｖの立ち上がり時および立ち下がり時のバイポーラトランジスタＱのベースに流れる電流が減少する。従って、バイポーラトランジスタＱのコレクタ出力である被判定信号ｓｅｎには、物体の存在に応じて図４（ｅ），（ｆ）に示すような波高値の変化が生じる。
【００２１】
被判定信号ｓｅｎは操作入力受付部１０８に入力される。操作入力受付部１０８では、電源投入時の被判定信号ｓｅｎの波高値（すなわち、検出電流の波高値）に基づいて求めた基準値を記憶して、以後の被判定信号ｓｅｎの波高値と基準値とを逐次比較する。すなわち、被判定信号ｓｅｎは一定周期で取り出されて基準値と比較されるのである。また、操作入力受付部１０８では被判定信号ｓｅｎの波高値が基準値よりも小さくなると物体が接近した、つまり、操作スイッチＳＷ４〜ＳＷ７が操作されたものとして制御部１０７に操作信号を出力するのである。ここで、センシング部２００は合成樹脂製の化粧パネル１２に埋め込む形で設けられており、操作スイッチＳＷ４〜ＳＷ７を押釦スイッチで構成し且つ押釦を押操作するための操作ハンドルをハウジング（カバー２）前面に配設する場合に比較してハウジングの前後方向の寸法を小型化することができる。さらに、液晶ディスプレイ１０４ａ前面にタッチパネルを配設する場合と比較しても、内側電極２００ａと外側電極２００ｂとで構成されるセンシング部２００の方が厚みが薄くなることは自明であるから、やはり小型化が可能である。なお、化粧パネル１２に埋設された各操作スイッチＳＷ４〜ＳＷ７のセンシング部２００は、ボス部２１前面の窓孔２１ａ下方に貫設されている幅細の溝２１ｂを通して図示しない導線等により第１の回路ブロック７に含まれる信号処理部２０１並びにグランドと電気的に接続される。
【００２２】
なお、本実施形態では、ドアホン子器２から送信される映像並びに音声を記録する機能（録画・録音機能）を有しており、操作スイッチＳＷ４が操作されて留守録モードに設定されている場合、あるいはドアホン子器２から映像と音声を受信しているときに操作スイッチＳＷ６が操作された場合、映像信号処理部１０５で処理された映像と音声信号処理部１０２で処理された音声を制御部１０７が不揮発性のメモリ（図示せず）に記録するようになっている。そして、操作スイッチＳＷ５が操作されると、制御部１０７はメモリに記録されている映像（静止画又は動画）を読み出して映像信号処理部１０５によりモニタ部１０４に表示させるとともに、メモリに記憶されている音声を読み出して音声信号処理部１０２によりスピーカ１０１から鳴動させるようになっている。また、操作スイッチＳＷ７が操作された場合は、ドアホン子器２から呼出信号を受信したときに鳴動する呼出音の音量調整や液晶ディスプレイ１０４ａの明るさ（バックライト）の調整等を行うためのメニュー画面が、制御部１０７の制御の下でモニタ部１０４に表示される。
【００２３】
上述のように本実施形態では、液晶ディスプレイ１０４ａの前面にタッチパネルを配設した従来例に比較してハウジングの前後方向の寸法を小型化することができ、その結果、タッチパネルを利用した従来例に比べてハウジングの壁面からの突出量を抑えることができる。
【００２４】
ところで、カバー２のボス部２１を除く部分（以下、外鍔部と呼ぶ。）にはねじ挿通孔２０ｂに挿通された取付ねじ６等が露出しているため、そのままの状態では外観上の見栄えが良くない。そこで、外鍔部の前面に略矩形枠状の化粧プレート３を取り付け、外鍔部を化粧プレート３で覆い隠すようにしている。この化粧プレート３は、日本工業規格で規格化されているフラッシプレート（ＪＩＳ  Ｃ  ８３１６参照）のうち、組合せ形のワイドプレートを構成する化粧板に相当し、背面側に突設されている複数の係止片（図示せず）をカバー２の主部２０に設けられている複数の係止孔２０ｃにそれぞれ挿入係止することでカバー２前面に着脱自在に取り付けられるものである（図２参照）。すなわち本実施形態においては、組合せ形プレートのプレート枠が、外鍔部としてカバー２と一体に構成されていることになる。ここで、静電容量形近接スイッチを構成するセンシング部２００を化粧パネル１２に埋設する代わりに前記外鍔部に収納すれば、ハウジング前面に露出する液晶ディスプレイ１０４ａの画面を大型化することができる。なお、各操作スイッチＳＷ４〜ＳＷ７のセンシング部２００を設ける位置はボス部２１前面の液晶ディスプレイ１０４ａの下側に限定されるものではなく、例えば、液晶ディスプレイ１０４ａの画面に表示されたカーソルを各操作スイッチＳＷ４〜ＳＷ７の操作に応じて上下左右に移動させるような場合、カーソルを上に移動させるための操作スイッチＳＷ４のセンシング部２００を液晶ディスプレイ１０４ａの上方に設け、カーソルを下に移動させるための操作スイッチＳＷ５のセンシング部２００を液晶ディスプレイ１０４ａの下方に設け、カーソルを左に移動させるための操作スイッチＳＷ６のセンシング部２００を液晶ディスプレイ１０４ａの左方に設け、カーソルを右に移動させるための操作スイッチＳＷ７のセンシング部２００を液晶ディスプレイ１０４ａの右方に設けてもよく、このようにすることで各操作スイッチＳＷ４〜ＳＷ７とカーソルの移動方向との対応関係が直感的に理解しやすくなって操作性が向上するという利点がある。
【図面の簡単な説明】
【００２５】
【図１】本発明の実施形態を示す分解斜視図である。
【図２】同上を示し、（ａ）は正面図、（ｂ）は右側面図、（ｃ）は下面図である。
【図３】同上のブロック図である。
【図４】同上における静電容量形近接スイッチからなる操作スイッチを示し、（ａ）はセンシング部の平面図、（ｂ）は回路図、（ｃ）〜（ｆ）は動作説明図である。
【符号の説明】
【００２６】
１  ボディ（ハウジング）
２  カバー（ハウジング）
ＳＷ４〜ＳＷ７  操作スイッチ（静電容量形近接スイッチ）
２００  センシング部
２０１  信号処理部
【図１】
2008085630.tif 000003
【図２】
2008085630.tif 000004
【図３】
2008085630.tif 000005
【図４】
2008085630.tif 000006